(57)【要約】【課題】  市場商品へと変わったサービスの提供基盤として、跡形もなく消費されてしまうサービス現場の提供時間を現に提供に要した時間の量として認められるよう、サービス開始時点から終了時点までの時間帯を合理的に捉えるため、訪問先に定置した利用者の所要量を確保するカードが所定の位置から紛失しないように保管する、カード保持器を提供する。【解決の手段】  定置した、支軸基台と固定ねじを覆うカバーから突出した支軸に設けた貫通穴と、合体する中空管に圧着部及び切れ目付き折り返し部を設け、カードを装着したワイヤーの両端を通し、圧着部が貫通穴の直径を上回るまで加圧して止め、支軸の貫通穴に中空管を引き合わせ、切れ目付き折り返し部を外側へと曲げ広めて一体化し、連結した支軸と中空管及びカードを装着したワイヤーが支軸基台と固定ねじを覆うカバーの脱却を防止するとともに、所定の位置から利用者の所要量を確保するワイヤー及びカードが紛失しないように保管することを特徴とする、カード保持器である。【選択図】  図１。
2005169043.tif 000002
【特許請求の範囲】
【請求項１】
定置した、支軸基台と固定ねじを覆うカバーから突出した支軸に設けた貫通穴と、合体する中空管に圧着部及び切れ目付き折り返し部を設け、カードを装着したワイヤーの両端を通し、圧着部が貫通穴の直径を上回るまで加圧して止め、支軸の貫通穴に中空管を引き合わせ、切れ目付き折り返し部を外側へと曲げ広めて一体化し、連結した支軸と中空管及びカードを装着したワイヤーが支軸基台と固定ねじを覆うカバーの脱却を防止するとともに、所定の位置から利用者の所要量を確保するワイヤー御呼びカードが紛失しないように保管することを特徴とする、カード保持器。
【発明の詳細な説明】
【技術分野】
【０００１】  本発明は、居宅サービス計画に定められた時間帯を契約単位に訪問活動するサービス時間と、居宅介護サービス提供現場の状況を明確に把握管理するとともに、製造と同時に全て消費されてしまうサービスの設定量を客観的に正しく評価されるよう、合理的に分かり易く捕らえるためのカードを、所定の位置から紛失しないよう保管する、カード保持器に関するものである。
【背景技術】
【０００２】  従来は、措置であったサービスから、契約へと更新されたサービスの提供量が、実際のサービス提供時間ではなく、可変可能な目安の時間を根拠にしたサービスでは、制度の根幹にかかわる事実重視の信義に反することはもとより、あくまでも要介護状態になった高齢者がその有する能力に応じ自立した日常生活を安全に安心して営むことができるよう給付される保健医療福祉サービスを実現できない問題と、新聞やＴＶで報道された書類の改ざん架空のサービス提供量の水増し狙われる介護報酬等、不正急増の指摘、さらには国民生活センターの、来ないのに来たように記録された事例報告等の問題があった。
本発明は、上記の課題を解決する手段として、居宅サービスの信頼性を高めること、並びに提供現場のサービス開始時刻と終了時刻の一次情報を透明化するため、別に出願した居宅介護状況把握システムの、コンピューター機構に登録する仕組みの一つとして知られている、（特許文献１）の訪問先に定置する鍵的部門を担うメモリーカードを所定の位置から紛失しないよう保管するカード保持器である。
【特許文献１】  特開２００３−２５６５７５号公報
【発明の開示】
【発明が解決しようとする課題】
【０００３】  製造と同時に消費されてしまうサービスには、事後確認できる証明物が全く残らないため、商取引上、多くの問題点があった。
たとえば、
イ、契約のサービスとして訪問先の労務管理や商品管理が不十分になる恐れがある。
ロ、提供量も訪問の事実も明確にできない架空のサービスになる懸念がある。
ハ、事実が証明できない不適正な対価請求になる懸念がある。
ニ、事実証明が付帯できないデーターとなる懸念がある。
ホ、客観性を欠く料金設定、及び評価、検証、アセスメントになる懸念がある等。
法令順守を前提にした、市場商品の基本にかかわる、事実欠落を要因に発生する多くの課題をコンピューター機構によって合理的かつ効率的に解決する仕組みの一つとして、現場の一次情報を正しく登録するため基準となるサービス計画と、実施内容を入力した利用者の所要量を確保するカードが、所定の位置から紛失しないように保管するものである。
【課題を解決するための手段】
【０００４】  利用者の居宅内に定置した、支軸基台と取り付けねじを覆うカバーから突出した支軸に設けた貫通穴と、合体する中空管に圧着部及び切れ目付き折り返し部を設け、カードを装着したワイヤーの両端を通し、圧着部が貫通穴の直径を上回るまで加圧して止め、貫通穴に中空管を引き合わせ、切れ目付き折り返し部を外側へと曲げ広めて一体化し、連結した支軸と中空管及びカードを装着したワイヤーが支軸基台と固定ねじを覆うカバーの脱却を防止するとともに、意図しなければ所定の位置から利用者の所要量を確保するワイヤー及びカードが紛失しないように保管することを特徴とするカード保持器である。
【発明の効果】
【０００５】  契約によって、要介護状態の高齢者がその能力に応じ自立した日常生活を安全に安心して営むことができるよう取得した、所要量を下記のように確保するものである。
イ、法順守のサービスとして訪問先の労務管理や商品管理が容易かつ明確になる。
ロ、客観的な評価を受ける法遵守のサービスを、合理的に証明できる。
ハ、訪問の事実と仕事の経緯が明確になるとともに一元的に把握管理できる。
ニ、基準通り提供した事実が明確に証明できる健全なサービスになる。
ホ、利用者や家族から信頼され選ばれる安心感の高いサービスになる。
ヘ、意図したか、どうかの事実が明確化できる。
つまり、利用料金とサービス提供量の関係を透明化することにより、利用者の所要量を確保し、適正な評価、検証、検討、アセスメント等、市場商品となったサービスの信用力増強に寄与できるデーターの把握管理に関するカードが所定の位置から紛失しないように保管し保持する効果は大きい。
【発明を実施するための最良の形態】
【０００６】  以下、本発明の実施の形態を説明する。
（イ）、所定の位置へ支軸基台（１１）を固定ねじ（１６）で定置する。
（ロ）、支軸基台（１１）と固定ねじ（１６）をカバー（１４）で覆う。
（ハ）、カバー（１４）から突出した支軸（９）に設けた貫通穴（１０）と合体する中空管（５）に圧着部（６）及び切れ目（８）付き折り返し部（７）を設け、カード（１）を装着したワイヤー（４）の両端を通し、圧着部（６）が貫通穴（１０）の直径を上回るまで加圧して止め、支軸（９）の貫通穴（１０）に中空管（５）を引き合わせ、切れ目（８）付き折り返し部（７）を外側へと曲げ広めて一体化する。
（ニ）、連結した、支軸（９）と中空管（５）及びカード（１）を装着したワイヤー（４）が支軸基台（１１）と固定ねじ（１６）を覆うカバー（１４）の脱却を防止するとともに、利用者の所要量を確保するために定置したワイヤー（４）及びカード（１）を所定の位置から紛失しないように保管することを特徴とするカード保持器である。
本発明は、以上の構成よりなっている。
本発明の使用例について説明する。
居宅介護サービスの提供結果の基本となる、訪問先のサービス開始と終了時刻の一時情報をコンピューター機構に登録する鍵的部門を担うカード（１）が、所定の位置から紛失しないように保管されるため、
契約によって、要介護状態になった高齢者がその有する能力に応じ自宅において自立した日常生活を安全に安心して営むことができるよう、ケアプランによって定められた所要量と合理的に一致する本来の居宅介護サービスが、公正かつ一元的に過不足なく効率的に取引することができる仕組になる。
また、家事や掃除あるいは子守など、増え続ける他の様々な派遣サービスの提供に要した手間の正味量を正しく証明する場合の有効な手段として活用するものである。
【図面の簡単な説明】
【０００７】
【図１】  本発明の斜面図。
【図２】  本発明の要部分離斜視図。
【図３】  本発明の要部分離斜視図。
【図４】  本発明の断面図。
【図５】  本発明の断面図。
【図６】  本発明の圧着状態図。
【符号の説明】
【０００８】１．  カード。
２．  装着穴。
３．  取手。
４．  ワイヤー。
５．  中空管。
６．  圧着部。
７．  折り返し部。
８．  切れ目。
９．  支軸。
１０．貫通穴。
１１．支軸基台。
１２．接合部。
１３．ねじ穴。
１４．カバー。
１５．支軸突出穴。
１６．固定ねじ。
【図１】
2005169043.tif 000003
【図２】
2005169043.tif 000004
【図３】
2005169043.tif 000005
【図４】
2005169043.tif 000006
【図５】
2005169043.tif 000007
【図６】
2005169043.tif 000008